(57)【特許請求の範囲】
【請求項１】
第１端末装置が第２端末装置と連結された状態で、第１端末装置が第２端末装置の周辺装置を単独に直接制御して、第２端末装置の映像出力機能、音声出力機能及びデータ入力機能の中の少なくとも一つ以上の機能を利用する端末装置システムにおいて、
第１端末装置は、
第２端末装置と有線接続でデータ通信する接続手段と；
有線接続した第２端末装置の周辺装置を第２端末装置のプロセッサを排除して直接制御する制御手段と；
前記接続手段を通じて第１端末装置の送信データを第２端末装置の使用可能なデータで伝送するために前記送信データを変換する送信エミュレーター手段と；を含み、
前記第１端末装置のプロセッサ及びプログラムが前記第２端末装置のプロセッサ及びプログラムを排除し、直接第２端末装置の周辺装置を制御して利用することができることを特徴とする端末装置システム。
【請求項２】
前記第１端末装置は、
前記接続手段を通じて伝送された第２端末装置の送信データを第１端末装置の使用可能なデータに変換する受信エミュレーター手段を含むことを特徴とする請求項１に記載の端末装置システム。
【請求項３】
前記第１端末装置は、
前記接続手段が第２端末装置と連結される場合、第２端末装置の機種及び利用可能な少なくとも一つ以上の周辺装置を自動で感知する手段をさらに含み、送信エミュレーター手段及び受信エミュレーター手段が第１端末装置のデータフォーマットと自動で感知された第２端末の機種及び周辺装置に対応するデータフォーマットの間で何れか一方のフォーマットに自動で変換することを特徴とする請求項２に記載の端末装置システム。
【請求項４】
前記第１端末装置は、
前記接続手段を通じて第２端末装置が接続される時、第２端末装置の周辺装置を利用するためのドライブプログラムを自動でインストールまたは実行する手段をさらに含むことを特徴とする請求項１に記載の端末装置システム。
【請求項５】
前記第１端末装置は、
インターネット接続が可能な場合、インターネット連結して前記ドライブプログラムをダウンロードしてインストールすることができることを特徴とする請求項４に記載の端末装置システム。
【請求項６】
前記第２端末装置は、
アイドル（ｉｄｌｅ）ボタンと、
第１端末装置と接続し、第２端末装置の電源のオン状態で、前記アイドルボタンがオン（ｏｎ）になると、第１端末装置で利用する周辺装置を除いた他の資源への電力供給を遮断する手段とを含むことを特徴とする請求項１に記載の端末装置システム。
【請求項７】
前記第１端末装置は、
異機種の第２端末装置と連結される場合、第１端末装置のキーボタン入力画面を第２端末装置に伝送し、使用者から第２端末装置の画面に表示されたキーボタン入力画面を通じて第１端末装置のキー入力方式と同じくデータが入力されることを特徴とする請求項１に記載の端末装置システム。
【請求項８】
前記第１端末装置は、第２端末装置と有線連結された状態で、第２端末装置から電源が供給されて内蔵バッテリー（ｂａｔｔｅｒｙ）を充電する機能と；
第２端末装置に電源を供給して第２端末装置の内蔵バッテリーを充電する機能と；を含むことを特徴とする請求項１に記載の端末装置システム。
【請求項９】
第１端末装置が第２端末装置と連結された状態で、第１端末装置が第２端末装置の周辺装置を単独に直接制御して、第２端末装置の映像出力機能、音声出力機能及びデータ入力機能の中の少なくとも一つ以上の機能を利用する端末装置のインターフェース方法において、
前記第１端末装置が前記第２端末装置と連結される場合、前記第１端末装置が前記第２端末装置の機種と利用可能な少なくとも一つ以上の周辺装置を自動に感知する段階（Ｓ１１）と；
前記第２端末装置の電源がオン状態で、アイドルボタンがオンになると、前記第２端末装置が前記第１端末装置で利用する周辺装置を除いた他の資源への電力供給を遮断する段階（Ｓ１２）と；
前記第１端末装置が第２端末装置に画面出力する場合、前記第１端末装置が映像出力データを第２端末装置の映像出力データに変換して前記第２端末装置に伝送した後、前記第２端末装置の周辺装置を前記第２端末装置のプロセッサを排除して直接制御して前記変換された映像出力データを出力する段階（Ｓ１３）と；を含むことを特徴とするインターフェース方法。
【請求項１０】
前記第１端末装置が第２端末装置に音声出力する場合、前記第１端末装置が音声出力データを第２端末装置の音声出力データに変換して前記第２端末装置に伝送した後、前記第２端末装置の周辺装置を前記第２端末装置のプロセッサを排除して制御して出力する段階（Ｓ１４）を含む請求項９に記載のインターフェース方法。
【請求項１１】
前記第２端末装置からデータ入力が発生する場合、前記第１端末装置が、前記第２端末装置から入力データを受信した後、前記第１端末装置に対応する入力データに変換した後入力される段階 （Ｓ１５）を含むことを特徴とする請求項９に記載のインターフェース方法。
【請求項１２】
前記段階（Ｓ１３）乃至前記段階（１５）中の何れか一段階は、
前記第１端末装置が自分のデータフォーマットと前記段階（Ｓ１１）で自動に感知された第２端末の機種及び周辺装置に対応するデータフォーマットとの間で何れか一方のフォーマットに自動に変換する段階であることを特徴とする請求項９〜１１の中の何れか一項に記載のインターフェース方法。
【請求項１３】
前記段階（Ｓ１１）は、
前記第１端末装置は第２端末装置と接続する時、第２端末装置の周辺装置を利用するためのドライブプログラムを自動でインストールまたは実行する段階をさらに含むことを特徴とする請求項９に記載のインターフェース方法。
【請求項１４】
前記第１端末装置は、
インターネット接続が可能な場合、インターネットに連結して前記ドライブプログラムをダウンロードしてインストールすることができることを特徴とする請求項１３に記載のインターフェース方法。
【請求項１５】
前記第１端末装置が異機種の第２端末装置と連結される場合、第１端末装置のキーボタン入力画面を第２端末装置に伝送し、使用者から第２端末装置の画面に表示されたキーボタン入力画面を通じて第１端末装置のキー入力方式と同じくデータが入力される段階をさらに含むことを特徴とする請求項９に記載のインターフェース方法。
【請求項１６】
前記第１端末装置は、
第２端末装置と有線連結された状態で、第２端末装置から電源が供給されて内蔵バッテリー（ｂａｔｔｅｒｙ）を充電したり、第２端末装置に電源を供給して第２端末装置の内蔵バッテリーを充電する段階をさらに含むことを特徴とする請求項９に記載のインターフェース方法。
【発明の詳細な説明】
【技術分野】
【０００１】
本発明は一側端末の制御によって他端末の周辺装置を利用する端末装置及びそのインターフェース方法に関する。異種または同種の端末が相互連結された状態で、第１端末が第１端末と連結された第２端末の周辺装置を制御して、その周辺装置が保有した出力機能及び入力機能を利用する。第２端末が第１端末に周辺装置の機能を提供する期間に、第１端末が現在利用する周辺装置を除いた他の装置は休眠状態に入ったり、または第２端末が電源オフ状態で第１端末から電源が供給されることによって第２端末の電力消費を低減させる。
【背景技術】
【０００２】
二つの端末が相互接続された状態で、第１端末装置が第２端末装置の周辺装置を利用する場合、二つの端末皆はＣＰＵが使用可能な状態に置かれる。データ出力機能を例に挙げると、第１端末装置は第２端末装置に出力データを伝送し、第２端末装置は伝送された出力データを自分の周辺装置に出力する。またデータ入力機能を例に挙げると、第２端末装置は入力装置を通じて使用者からデータを入力し、その入力データを第１端末装置に伝達する。このように二つの端末が相互接続された状態で、第１端末装置が第２端末装置の周辺装置を利用する場合、両側のハードウェア資源は全部使用可能な状態に存在して電力を消費する。
【０００３】
このような環境で、小型の第１端末装置が相対的に大型の第２端末装置の周辺装置（出力装置と入力装置）を利用するために有線で相互接続する場合、第２端末装置は保有している一部の周辺装置のみを第１端末装置の周辺装置に提供するにもかかわらず、第２端末装置のすべての資源を使用可能な状態に待機させて電力を供給している。
【発明の概要】
【発明が解決しようとする課題】
【０００４】
本発明は前述した問題点に鑑みて創出されたもので、二つの独立端末が相互連結された状態で、第１端末装置の制御によって第２端末装置の周辺装置を利用する時、第２端末装置は第１端末装置に提供する周辺装置以外の資源は休眠状態（ｉｄｌｅ  ｓｔａｔｅ、ｓｌｅｅｐ  ｓｔａｔｅ）に切り替えたり、または第２端末装置が第１端末装置から電源が供給されて周辺装置の利用を提供することを目的とする。
【課題を解決するための手段】
【０００５】
上述したような目的を果たすための本発明の端末装置によれば、第１端末装置が第２端末装置と連結された状態で、第１端末装置が第２端末装置の周辺装置を単独に直接制御して第２端末装置の映像出力機能、音声出力機能及びデータ入力機能の中の少なくとも一つ以上の機能を利用する端末装置において、前記端末装置が第１端末装置の役割を果たすための構成で、第２端末装置と有線接続する接続手段と；有線接続した第２端末装置の周辺装置を制御する制御手段と；前記接続手段を通じて第１端末装置のデータを第２端末装置に伝送するためにデータを変換する送信エミュレーター手段と；前記接続手段を通じて伝送された第２端末装置の入力データを第１端末装置のデータに変換する受信エミュレーター手段と；を含むことを特徴とする。
【０００６】
本発明の好ましい特徴によれば、前記第１端末装置は、前記接続手段が第２端末装置と連結される場合、第２端末装置の機種及び利用可能な少なくとも一つ以上の周辺装置を自動に感知する手段をさらに含み、送信エミュレーター手段及び受信エミュレーター手段が自動に感知した第２端末装置の機種及び周辺装置に対応するデータフォーマットに自動に変換することを特徴とする。
【０００７】
好ましくは、前記第１端末装置は、前記接続手段を通じて第２端末装置が接続される時、第２端末装置の周辺装置を利用するためのドライブプログラムを自動にインストールまたは駆動する手段をさらに含むことを特徴とする。
【０００８】
さらに、前記第１端末装置は、インターネット接続が可能な場合、インターネットに連結して前記ドライブプログラムをダウンロードしてインストールすることができることを特徴とする。
【０００９】
好ましくは、前記端末装置が第２端末装置の役割を果たすための構成で、アイドル（ｉｄｌｅ）ボタンを備え、第１端末装置と接続した状態で前記アイドルボタンがオン（ｏｎ）になると、第１端末装置で利用する周辺装置を除いた他の資源への電力供給を遮断する手段を含むことを特徴とする。
【００１０】
さらに、前記第１端末装置は、異機種の第２端末装置と連結される場合、第１端末装置のキーボタン入力画面を第２端末装置に伝送して、使用者が第２端末装置の画面を通じて第１端末装置のキー入力方式と同じくデータを入力することができることを特徴とする。
【００１１】
好ましくは、前記第１端末装置は、第２端末装置と有線で連結された状態で、第２端末装置から電源が供給されて内蔵バッテリー（ｂａｔｔｅｒｙ）を充電する機能と；第２端末装置に電源を供給して第２端末装置の内蔵バッテリーを充電する機能と；を含むことを特徴とする。
【００１２】
一方、本発明の一側端末の制御によって他端末の周辺装置を利用する端末装置のインターフェース方法によれば、第１端末装置が第２端末装置と連結された状態で、第１端末装置が第２端末装置の周辺装置を単独に直接制御して第２端末装置の映像出力機能、音声出力機能及びデータ入力機能の中の少なくとも一つ以上の機能を利用する端末装置のインターフェース方法において、前記第１端末装置が前記第２端末装置と連結される場合、前記第１端末装置が前記第２端末装置の機種と利用可能な少なくとも一つ以上の周辺装置を自動に感知する段階Ｓ１１と；前記第２端末装置のアイドルボタンがオンになると、前記第２端末装置が前記第１端末装置で利用する周辺装置を除いた他の資源への電力供給を遮断する段階Ｓ１２と；前記第１端末装置が画面出力する場合、前記第１端末装置が映像出力データを前記第２端末装置の映像出力データに変換して前記第２端末装置に伝送した後、前記第２端末装置の周辺装置を制御して出力する段階Ｓ１３と；前記第１端末装置が音声出力する場合、前記第１端末装置が音声出力データを前記第２端末装置の音声出力データに変換して前記第２端末装置に伝送した後、前記第２端末装置の周辺装置を制御して出力する段階Ｓ１４と；前記第２端末装置からデータ入力が発生する場合、前記第１端末装置が、前記第２端末装置から入力データを受信した後、前記第１端末装置に対応する入力データに変換した後入力される段階Ｓ１５と；を含むことを特徴とする。
【発明の効果】
【００１３】
本発明によれば、第１端末装置と第２端末装置が相互連結されて、第１端末装置が第２端末装置の周辺装置を単独に直接制御してその周辺装置の映像出力、音声出力及びデータ入力機能を利用する時、第２端末装置で第１端末装置の非使用中の資源は電力供給を遮断して第２端末装置の消費電力を低減する。
【図面の簡単な説明】
【００１４】
本明細書に添付される以下の図面は本発明の好ましい実施形態を例示するものであり、以下の実施形態に対する説明とともに本発明の技術思想をより理解させる役割を果たすので、本発明はこの図面に記載した事項のみに限定されて解釈されてはならない。
【００１５】
【図１】本発明による一側端末の制御によって他端末の周辺装置を利用する端末装置の構成図である。
【図２】本発明の一実施形態による端末装置の内部構成図である。
【図３】本発明の一実施形態による端末装置の追加内部構成図である。
【図４】本発明の一実施形態による第２端末装置で表示する第１端末のキー入力窓の例示図である。
【図５】本発明の一実施形態による端末装置のインターフェース方法の順序図である。
【発明を実施するための形態】
【００１６】
以下、添付図面を参照して本発明の好ましい一実施形態の構成を詳しく説明する。
【００１７】
＜１．システム構成＞
図１は本発明による端末装置１、２の技術モデルを示す。
【００１８】
本発明による端末装置は、処理装置（例えば；ＣＰＵ）、保存装置（例えば；メモリー、ディスク）、出力装置（例えば；モニター、スピーカー）及び入力装置（例えば；キーボード、キーボタン）を備えて独立的に固有した機能を行う端末である。例えば、ノート・パンコンＰＣ、デスクトップＰＣを含め、移動通信端末、ＰＤＡ、ＵＭＰＣ、ＰＭＰ、ＭＰ３、ポータブルゲーム機、デジタルカメラ、ＤＭＢ端末、ナビゲーション端末、ＴＶなどを例に挙げることができる。
【００１９】
ただ、説明の便宜上、接続された他の端末装置を制御する側を第１端末装置１とし、第１端末装置１の制御によって自分が保有する周辺装置を利用する側を第２端末装置２とする。即ち、第１端末装置１が第２端末装置２の周辺装置を単独に直接制御して利用する。ここで、「単独に直接制御」とは、第１端末装置１のプロセッサ及びプログラムが、第２端末装置２のプロセッサとプログラムを排除した状態で、単独に直接第２端末装置２の周辺装置を制御して利用することである。
【００２０】
一方、第１端末装置１は小型端末で、第２端末２は第１端末装置２より相対的に画面出力装置及び入力装置がより大きい端末であってもよい。勿論、反対に第１端末装置１が大型端末で、第２端末装置２が小型端末の場合を排除するのではない。例えば、第１端末装置１がノート・パンコンで、モニターが故障した場合、不便ではあるが臨時的に第２端末装置２である移動通信端末の画面を利用してノート・パンコンの作業をすることも関係ない。
【００２１】
本発明では、第１端末装置１が同種または異種の第２端末装置２と連結されて、第１端末装置１が第２端末装置２の周辺装置を単独に直接制御して自分の周辺装置のように利用する。第１端末装置１は第２端末装置２の周辺装置が保有した映像出力機能、音声出力機能及びデータ入力機能を選択的に何れか一つ以上利用する。即ち、第１端末装置１の使用者は第２端末装置２を利用して第１端末装置１の映像データを第２端末装置２の画面を通じて見ることができ、使用者が第２端末装置２で入力するデータを第２端末装置２から伝送されることができる。
【００２２】
好ましくは、第１端末装置１が第２端末装置２の周辺装置を直接制御して利用する場合、第２端末装置２は第１端末装置１が利用する機能に従って対応する一部の資源のみ利用され、残りの資源は利用されない。よって、第２端末装置２では第１端末装置１が利用する資源のみで電力を供給し、利用されない資源では電源を供給しない。従って、第２端末装置の中央制御装置（例えば：ＣＰＵ、ＭＣＵ）はオフ（ｏｆｆ）状態で電源供給が中断される。
【００２３】
以上の技術モデルによる端末装置２の使用環境を例示すると以下の通りである。移動通信端末の使用者がより拡大された画面で利用しようとすう場合、ノート・パンコンと連結する。連結が完了する瞬間に移動通信端末の液晶画面に表示される全ての映像は、ノート・パンコンのモニターで同一に表示され、使用者がノート・パンコンのキーボードで入力する全ての入力データは移動通信端末に伝達される。また、使用者のキー入力を反映して変更される移動通信端末の画面データは再びノート・パンコンのモニターに伝達されて画面に表示される。また、使用者が移動通信端末で文字メッセージを作成する場合、ノート・パンコンのモニター画面に表示された文字メッセージ入力画面でノート・パンコンキーボードを利用して文字を入力し、その入力データはノート・パンコンキーボードから第１端末装置１が直接受信する。勿論、文字メッセージの作成の中に移動通信端末が通話号を受信すると、ノート・パンコンのモニター画面が通話号受信到着を知らせる画面に切り替える。
【００２４】
好ましくは、第１端末装置１と第２端末装置２が連結された状態では、第１端末装置１の制御によって何れか一側が他側のバッテリーを充電できるようにする。前述した例で、移動通信端末が第１端末装置１になってノート・パンコンを制御しながら連結された場合、移動通信端末がノート・パンコンのバッテリーを充電させることができる。ここで、移動通信端末はコンセント接続を通じて電源が供給される状態であってもよく、コンセントの接続なしに内蔵バッテリーに保存された電源をノート・パンコン側に提供することもできる。反対に、移動通信端末の制御下でノート・パンコンの内蔵バッテリーが保有した電源または外部コンセントから供給される電源を移動通信端末が受けて移動通信端末の内蔵バッテリーを充電することも可能である。
【００２５】
図２は本発明の一実施形態による第１端末装置１と第２端末装置２におけるデータ変換及び通信のための内部構成を図示する。
【００２６】
本発明の第１端末装置１は、第１端末装置１１を制御し、同時に第２端末装置を制御する制御手段１１と、第２端末装置２に伝送するデータを第２端末装置２のフォーマットに適合するようにデータを変換する送信エミュレーター手段１２と、第２端末装置２から伝送された入力データを第１端末装置１のフォーマットに適合するようにデータを変換する受信エミュレーター手段１３及び第２端末装置２に接続する接続手段とを含む。
【００２７】
本発明の第２端末装置２は第１端末装置１と連結される接続手段２４と、第１端末装置１が利用する周辺装置のみに電源を供給し、残りの利用されない装置への電源供給を遮断するアイドルボタン（ｉｄｌｅ  ｂｕｔｔｏｎ）２５とを含む。第２端末装置２でアイドルボタン２５がスィッチオンされると、画面出力装置２０１、音声出力装置２０２及びデータ入力装置２０３の利用のための資源を除いた第２端末装置２の非利用資源は電源供給が中断される。
【００２８】
実際に本発明の端末装置は、前記第１端末装置１と第２端末装置２の構成要素を全部備える。そうしてこそ他端末装置と連結されて、他端末装置を制御する場合、第１端末装置１として機能し、他端末装置から制御される場合、第２端末装置２として機能することができる。
【００２９】
図３は図２の第１端末装置１に追加して構成される構成要素を示す。
【００３０】
第２端末装置感知手段１５は、第１端末装置１が第２端末装置２と接続されると、自動に第２端末装置２の機種を感知し、利用可能な周辺装置を感知する。
【００３１】
ドライブインストール駆動手段１６は自動に感知した第２端末装置２の機種と周辺装置に対応するドライブプログラムを実行する。ドライブプログラムがインストールされていない場合はインストールした後実行し、第１端末装置１にインターネット機能がある場合、インターネットに接続してドライブプログラムをダウンロードしてインストールする。
【００３２】
以上で第２端末装置２の機種と周辺装置の情報が把握されると、これらの間の特性によって対応するデータフォーマットの変換が決定され、送信エミュレーター手段１２及び受信エミュレーター手段１３は決まったデータフォーマット変換によってデータを変換することができる。例えば、第１端末装置１が第２端末装置２の画面出力装置２０１を利用する場合、その画面出力装置２０１の特性によって解像度及びディスプレー属性を把握して第１端末装置１の映像出力データを第２端末装置２の画面出力装置２０１が出力可能なデータフォーマットに変更する。
【００３３】
充電管理手段１７は、第１端末装置１の制御によって第１端末装置１が第２端末装置２のバッテリーを充電することができ、第２端末装置２から電源が供給されて第１端末装置１のバッテリーを充電することができる。ここで、電源を提供する側は外部コンセントに接続して電源を受けたり、または内蔵バッテリーに充電された電源を利用することができることを既に説明した。
【００３４】
以上の図２及び図３に示した端末装置１、２を構成する個別構成要素の詳細な機能及び動作は、後述する端末装置１、２の拡張インターフェース方法を通じて説明する。
【００３５】
図４は本発明の一実施形態による第２端末装置２で表示する第１端末装置１のキー入力窓３０１を例示する。
【００３６】
第１端末装置１が移動通信端末で、第２端末装置２であるノート・パンコンと連結された場合、移動通信端末は専用機能を直ちに実行する専用キーを入力装置に備えている。例えば、メニューボタン、無線インターネット接続ボタン、発信ボタン、確認ボタン、終了ボタンなどである。このような専用キーはノート・パンコン２のキーボードには備えられていない。そこで、ここに本発明では第２端末装置２で第１端末装置１の専用キーボタンを利用できるように第２端末装置２で第１端末装置１のキー入力窓３０１を提供する。図４ではノート・パンコン２のモニター画面に表示される移動通信端末のキー入力窓３０１を示す。従って、使用者はキー入力窓３０１を通じて移動通信端末１の入力方式と同じく専用キーを入力することができる。
【００３７】
＜２．方法構成＞
本発明の一実施形態による一側端末の制御によって他端末の周辺装置を利用する端末装置及びそのインターフェース方法は、前述した端末装置１、２の構築を通じて好ましく実現されることができる。
【００３８】
図５は本発明の一実施形態による端末装置１、２のインターフェース方法の順序を示す。
【００３９】
第１端末装置１の使用者が第２端末装置２の周辺装置を利用しようとする場合、それぞれの接続手段１４、２４に連結線を連結する。
【００４０】
第１端末装置１の第２端末装置感知手段１５は接続された第２端末装置２の機種及び利用可能な少なくとも一つ以上の周辺装置を自動に感知する。自動感知によって、ドライブインストール駆動手段１６は利用しようとする第２端末装置２の周辺装置に対応するドライブプログラムを実行し、インストールされていない場合、対応するドライブプログラムをインストールした後実行するＳ１１１。例え、第１端末装置１がインターネット接続機能を保有していれば、ドライブプログラムをインストールするためにウェブ検索を通じてダウンロードしてインストールすることも可能である。
【００４１】
以後、使用者は第１端末装置１に制御されている第２端末装置２の電力の消費を低減するために第２端末装置２のアイドルボタン２５をスィッチオンすると、第２端末装置２は第１端末装置１が利用する資源を除いた残り装置への電源供給を中断するＳ１２。
【００４２】
以後、相互連結された第１端末装置１と第２端末装置２との間で、第１端末装置１の映像出力機能、音声出力機能及びデータ入力機能は、第１端末装置１が第２端末装置２の周辺装置を制御してその周辺装置で機能する。
【００４３】
第１端末装置１で画面出力する場合、送信エミュレーター手段１２は自動に感知した第２端末装置２の情報を利用して第１端末装置１の映像出力データを第２端末装置２に対応する映像出力データに変換した後接続手段１４を通じて第２端末装置２に伝送するＳ１３。
【００４４】
第１端末装置１で音声出力する場合、送信エミュレーター手段１２は第製１端末装置１の音声出力データを自動に感知した第２端末装置２の音声出力装置２０２に対応する音声出力データに変換した後伝送するＳ１４。第１端末装置１で動画データを出力する場合には、段階１３及び段階１４を並行して実行する。
【００４５】
また、外部第２端末装置２で使用者のデータ入力が発生する場合、受信エミュレーター手段１３は第２端末装置２から伝達された使用者の入力データを第１端末装置１に対応する入力データに変換し、第１端末装置１はその入力データによる機能を実行する。
【００４６】
上述したように、本発明による一側端末の制御によって他端末の周辺装置を利用する端末装置及びそのインターフェース方法の実施形態が構成される。本発明は限定された実施形態及び図面によって説明されたが、本発明はこれによって限定されないで、本発明の属する技術分野において通常の知識を有する者によって本発明の技術思想及び特許請求の範囲の均等な範囲内で多様な修正及び変形が可能であることは勿論である。
【図１】
0005829519.tif 000002
【図２】
0005829519.tif 000003
【図３】
0005829519.tif 000004
【図４】
0005829519.tif 000005
【図５】
0005829519.tif 000006